(57)【特許請求の範囲】
【請求項１】
レンジフードにおいて、照明器具とシロッコファンモーターと安全スイッチとそれらの配線を有する上部本体と、シロッコファンモーターとその取付具が除かれたシロッコファンケーシングと、昇降機下部との脱着手段を有するフードとが一体に成型されたフードシロッコファンケーシングとに分離されて、レンジフード上部本体とフードシロッコファンケーシングとの接続は昇降機によりなされ、昇降機はレンジフード上部本体の右左側面に配設する上支板2枚と下支板2枚とその両者を繋ぐジョイント板で構成して、上支板と下支板の両端の接合は扇転自在にし、右左の昇降機それぞれに跳ね上り止めフックとフックを引っかける穴を設けて、前記フードシロッコファンケーシングと昇降機との接続は脱着手段により脱着自在に備えられている事を特徴とするレンジフード。
【請求項２】
昇降機下部とフードシロッコファンケーシングとの脱着手段は、一対の昇降機下部にフォーク取り付板と差し込みフォークを設けて、フードシロッコファンケーシングのフード部背面右左にフォーク差し込み口を設け、フォーク差し込み口から続けてフードシロッコファンケーシングにフォーク差し込みＣ形レールを取り付け、フード部側面に取ってを設けている事を特徴とする請求項１に記載のレンジフード。
【請求項３】
前記フードシロッコファンケーシング右左側部にＣ形レールが配設されて、シロッコファンケーシング部分の吸気口面を留具により脱着自在に配設してあり、吸気口面の一部は突起状になっていてフードシロッコファンケーシングに突起の通る穴が設けてあり、吸気口面の脱着時に突起によりON、OFFするスイッチをレンジフード上部本体に配設する事において、フードシロッコファンケーシングより吸気口面を外すとシロッコファンモーター電源回路は遮断される事を特徴とする請求項１又は請求項２のいずれかに記載のレンジフード。
【請求項４】
レンジフード上部本体にフードシロッコファンケーシングが昇降機でレンジフードの使用可能状態の位置迄上った位置で作動する安全留具を設置して、使用可能状態から安全留具の解除はシロッコファンを取り外した後のみに解除出来て、安全スイッチは安全留具がフードシロッコファンケーシングをロックしている場合のみに電源が道通する形状に構成されている事を特徴とする請求項１乃至請求項３のいずれかに記載のレンジフード。
【請求項５】
レンジフードにおいて、フードシロッコファンケーシングあるいはフード内の整流板にオイルグリッドを差し込む柱を整流板に直角に複数設けて、その複数の柱にオイルグリッドが配置されている事を特徴とする請求項１乃至請求項４のいずれかに記載のレンジフード。
【請求項６】
レンジフードにおいて、フードシロッコファンケーシングと、フードと、シロッコファンケーシングと、C形レールと、フードシロッコファンケーシングあるいはフード内に配設されたシロッコファン、吸気口面、整流板と昇降装置下部に設置されたフォークとフォーク取り付板の内のいずれか一つ以上が複合炭素繊維を用いて成型されている事を特徴とする請求項１乃至請求項５のいずれかに記載のレンジフード。
【発明の詳細な説明】
【技術分野】
【０００１】
本発明は、調理時に発生する湯気、油分を含む空気等をフード内に捕集し送風機で屋外に排出するレンジフードにおいて、そのフード清掃を楽な姿勢で行う洗浄に関する。
【背景技術】
【０００２】
特開平７−２９３９５８においては、シロッコファンケーシングの一部とオイルグリッドを下に下げているが、シロッコファンケーシングの多くはレンジフード上奥深い所にあり清浄に手間がかかる。
特開平７−２９３９５８においては、フードは取り外す事は出来るがファンフードの清浄は高い位置での作業であり骨が折れる。
【先行技術文献】
【特許文献】
【０００３】
【特許文献１】特開平７−２９３９５８号公報
【特許文献２】特開２００９−１３８９９０号公報
【発明の概要】
【０００４】
シロッコファンモーター、照明器具とその配線及びスイッチはフードシロッコファンケーシング以外の所に設けて、レンジフード右左側面に右左で一対の昇降機を取り付け、
昇降機下部にフォーク取り付け板を配設し、フォーク取り付け板にフォークを取り付ける、フードシロッコファン背面右左にフォーク刺し込み口を開けて、この刺し込み口より昇降機下部のフォークを脱着自在に刺し込んだ事においてフードシロッコファンケーシングは昇降機で昇降自在に出来るレンジフード。
【発明が解決しようとする課題】
【０００５】
レンジフードの頭上清浄作業では洗剤スプレーを使用すると頭や顔に洗剤の霧が降り掛かる、レンジフード上奥にあるシロッコファンケーシングの清浄はガスレンジ台やＩＨ
クッキングヒーター台の上に乗り体をよじって行わなければならない、又拭くだけでは綺
麗にならない、本考案はこれらの問題を解決するためのものである。
【課題を解決するための手段】
【０００６】
本願発明の請求項１は、レンジフードにおいて、レンジフードの上部本体とフードシッコファンケーシングを分離すると共に、前記レンジフード上部本体とフードシロッコファンケーシングを昇降装置により接続し、フードシロッコファンケーシングを昇降自在にしたレンジフードである。
【０００７】
本願発明の請求項２は、前記フードシロッコファンケーシングと昇降装置の接続は脱着手段により脱着自在に備えられているレンジフードである。
【０００８】
本願発明の請求項３は、レンジフードにおいて、フードとシロッコファンケーシングは一体成型されているレンジフードである。
【０００９】
本願発明の請求項４は、フードシロッコファンケーシング右左側部にＣ形レールが配設されて、シロッコファンケーシング部分の吸気口面を留具により脱着自在に配設してあり、吸気口面の一部は突起状になっていてフードシロッコファンケーシングに突起の通る穴が設けてあり、吸気口面の脱着時に突起によりＯＮ、ＯＦＦするスイッチをレンジフード上部本体に配設する事において、フードシロッコファンケーシングより吸気口面を外すとシロッコファンモーター電源回路は遮断されるレンジフードである。
【００１０】
本願発明の請求項５は、レンジフードにおいて、フードシロッコファンケーシングあるいはフード内の整流板にオイルグリッドを刺し込む柱を設けてその柱にオイルグリッドが配置されているレンジフードである。
【００１１】
本願発明の請求項６は、レンジフードにおいて、フードシロッコファンケーシングと、フードと、シロッコファンケーシングと、Ｃ形レールと、フードシロッコファンケーシングあるいはフード内に配設されたシロッコファン、吸気口面、整流板と昇降装置下部に設置されたフォークとフォーク取り付板の内のいずれか一つ以上が複合炭素繊維を用いて成型されているレンジフードである。
【００１２】
以下図面に基づき説明する。
レンジフード（１）を上部本体とフードシロッコファンケーシング（１６）とに分離して、フードシロッコファンケーシング（１６）とレンジフード（１）上部本体の接続はレンジフード（１）上部本体の右左側面（２）に配設する昇降機（３）は上支板（４）2枚と下支板（５）２枚とその両者を繋ぐジョイント板（６）で構成して、上支板（４）と下支板（５）の両端の接合は扇転自在にし、右左の昇降機（３）それぞれに跳ね上り止めフック（７）とフック（７）を引っかける穴（８）を設けて、昇降機（３）を右左側面（２）のそれぞれの面に取り付け、右左で一対の昇降機（３）を昇降装置とする。
【００１３】
昇降装置下部とフードシロッコファンケーシング（１６）との脱着手段は、一対の昇降機（３）下部にフォーク取り付板（１０）と刺し込みフォーク（９）をもうけ、フード（１１）とシロッコファンケーシング（１２）は一体に成型し、フードシロッコファンケーシング（１６）にして、フード（１１）背面右左にフォーク刺し込み口（１５）を設け、フォーク刺し込み口（１５）から続けてフードシロッコファンケーシング（１６）にフォーク（９）刺し込みＣ形レール（１９）を取り付け、フード（１１）側面に取って（３３）を設ける。
【００１４】
フードシロッコファンケーシング（１６）に吸気口面（３１）取り付けボルトを設けナットにより吸気口面（３１）を脱着自在にして、吸気口面（３１）の一部を突起（１３）状にし、フードシロッコファンケーシング（１６）に吸気口面（３１）の突起（１３）が通る穴を設け、レンジフード（１）上部本体の右左側面（２）に設置された梁に吸気口面（３１）の突起（１３）によりシロッコファンモーター（２５）電源回路をＯＮ、ＯＦＦする安全スイッチ（２６）を配設して、整流板（１７）にオイルグリッド（１８）を刺し込む柱（１４）を整流板（１７）に直角に複数設置して、複数の柱（１４）にオイルグリッド（１８）を刺し込む。
【００１５】
フォーク（９）刺し込みＣ形レール（１９）にフードシロッコファンケーシング（１６）位置確定フック（２０）を設けフォーク（９）に位置確定フック（２０）がはまる溝を形成し、フードシロッコファンケーシング（１６）右左にマグネット（２１）を配設し、マグネット用鉄板（２２）をレンジフード（１）上部本体の右左側面（２）に取り付けて、フードシロッコファンケーシング（１６）前上カバー（２３）をフードシロッコファンケーシング（１６）前上に脱着易いに配設して、シロッコファン（２９）をナット（３０）でシロッコファンモーター（２５）シャフトに取り付ける。
【００１６】
照明器具（２４）と、シロッコファンモーター（２５）と、安全スイッチ（２６）をフードシロッコファンケーシング（１６）と昇降機（３）以外のレンジフード（１）上部本体場所に取り付けて、照明器具（２４）とシロッコファンモーター（２５）のコントロールスイッチ（２７）はレンジフード（１）以外の食器棚ドアー（２８）又はガス台やＩＨクッキングヒーター台（３２）に配設する。
【００１７】
レンジフード（１）上部本体にフードシロッコファンケーシング（１６）が昇降機（３）でレンジフード（１）の使用可能状態の位置迄上った位置で作動する安全留具（３４）を設置して、使用可能状態から安全留具（３４）の解除はシロッコファン（２９）を取り外した後のみに解除出来て、安全スイッチ（２６）は安全留具（３４）がフードシロッコファンケーシング（１６）をロックしている場合のみに電源が道通する形状に構成する。
【００１８】
フードシロッコファンケーシング（１６）と、フォーク取り付け板（１０）と刺し込みフォーク（９）と吸気口面（３１）と、フォーク（９）刺し込みＣ形レール（１９）と整流板（１７）と柱（１４）とシロッコファン（２９）と前上カバー（２３）を、複合炭素繊維を使用し成型して使用する。
【発明の効果】
【００１９】
レンジフード（１）上部本体右左側面（２）に一対の昇降機（３）を取り付けて、昇降機（３）下部のフォーク取り付板（１０）に取り付けた右左のフォーク（９）をフードシロッコファンケーシング（１６）背面のフォーク刺し込み口（１５）に刺し込んである事において、フードシロッコファンケーシング（１６）を昇降機（３）で昇降自在に出来る。
【００２０】
右左の昇降機（３）に有る穴（８）にフック（７）を引っかける事において昇降機（３）は跳ね上がる事はなくフォーク（９）よりフードシロッコファンケーシング（１６）を安全に引きぬく事が出来る。
【００２１】
昇降機（３）下部に、フォーク取り付板（１０）で右左のフォーク（９）を固定したフォーク取り付板（１０）を取り付けて、フードシロッコファンケーシング（１６）背面のフォーク刺し込み口（１５）に続いてＣ形レール（１９）がフードシロッコファンケーシング（１６）右左に配設されている事において、フォーク（９）にフードシロッコファンケーシング（１６）を脱着自在に刺し込む事が出来る。
【００２２】
吸気口面（３１）に突起（１３）を備えフードシロッコファンケーシング（１６）に突起（１３）が通る穴と、レンジフード（１）上部本体に安全スイッチ（２６）を備えた事において、吸気口面（３１）をフードシロッコファンケーシング（１６）から外すと安全スイッチ（２６）より突起が外れて、シロッコファンモーター（２５）の電源回路は遮断されシロッコファン（２９）の脱着が安全に出来る。
整流板（１７）にオイルグリッド（１８）刺し込み柱（１４）を備え刺し込み柱（１４）にオイルグリッド（１８）を刺し込む事において清浄時に低い位置でオイルグリッド（１８）の脱着が出来る。
【００２３】
Ｃ形レール（１９）にフードシロッコファンケーシング（１６）位置確定フック（２０）を取り付けてありフォーク（９）に形成された溝に位置確定フック（２０）が係止される事において、フードシロッコファンケーシング（１６）を昇降機（３）に取り付けて上迄上げる場合にフードシロッコファンケーシング（１６）はフードシロッコファンケーシング（１６）周囲にあたらない。
【００２４】
フード（１１）とシロッコファンケーシング（１２）を、複合炭素繊維を使用し一体成型しフードシロッコファンケーシング（１６）にした事において、フードシロッコファンケーシング（１６）は軽量化されると共に形状は単純になりフードシロッコファンケーシング（１６）より上前カバー（２３）を取り外してフードシロッコファンケーシング（１６）内側と外側を女子や高年齢者でも簡単に洗浄出来る。
【００２５】
フードシロッコファンケーシング（１６）、Ｃ形レール（１９）、上前カバー（２３）、フォーク（９）、フォーク取り付け板（１０）を、複合炭素繊維を使用し成型した事において金属で成形した場合と比較して重量は半減されて昇降機（３）の負荷が軽減されると共にレンジフード（１）上部本体右左側面（２）の負荷も軽減され昇降機（３）とレンジフード（１）上部本体右左側面（２）を、対加重を減らし作る事が出来る。
【００２６】
照明器具（２４）、シロッコファンモーター（２５）と安全スイッチ（２６）をフードシロッコファンケーシング（１６）以外の場所に取り付け、照明器具（２４）とシロッコファンモーター（２５）のコントロールスイッチ（２７）をレンジフード（１）横の食器棚ドアー（２８）又はガス台やＩＨクッキングヒーター台（３２）に取り付けた事において、電気器具と電気配線はフードシロッコファンケーシング（１６）より取り除かれてフードシロッコファンケーシング（１６）のみを昇降機（３）で昇降自在に出来る。
【００２７】
レンジフード（１）上部本体に安全留具（３４）を設置してある事において、使用可能状態のフードシロッコファンケーシング（１６）を下に下げる事は出来ないので安全が確保出来る。
【図面の簡単な説明】
【００２８】
【図１】レンジフード（１）使用可能状態の正面を示す図
【図２】レンジフード（１）前面扉を開けてフードシロッコファンケーシング（１６）を昇降機（３）により下迄下げた正面図
【図３】フードシロッコファンケーシング（１６）を昇降機（３）により下迄下げた左側面図
【図４】フードシロッコファンケーシング（１６）の背面図
【図５】レンジフード（１）上部本体の右左側面（２）に昇降機（３）を取り付けたイメージ図
【図６】昇降機（３）のみを上迄上げた側面のイメージ図
【図７】整流板（１７）を外してフードシロッコファンケーシング（１６）底面図
【発明を実施するための形態】
【００２９】
レンジフード（１）上部本体右左側面（２）に取り付けられた昇降機（３）によりフードシロッコファンケーシング（１６）が上迄上って使用可能状態から、昇降機（３）でフードシロッコファンケーシング（１６）を下まで下げてフードシロッコファンケーシング（１６）の洗浄は、整流板（１７）を下げてオイルグリッド（１８）をオイルグリッド（１８）刺し込み柱（１４）より引きぬいて、正流板（１７）を取り外す、突起（１３）を備えた吸気口面（３１）を外しシロッコファン（２９）を取り付けているナット（３０）を緩めてナット（３０）とシロッコファン（２９）を外し安全留具（３４）を解除する。
【００３０】
食器棚ドアー（２８）に取り付けられたスイッチ（２７）横のフードシロッコファンケーシング（１６）側面の取って（３３）を両手で下に引く事により、フードシロッコファンケーシング（１６）右左に設けたマグネット（２１）がレンジフード（１）上部本体右左側面（２）に取り付けてある鉄板（２２）より離れる。
【００３１】
照明器具（２４）、シロッコファンモーター（２５）、安全スイッチ（２６）とその配昇降機（３）とフードシロッコファンケーシング（１６）以外に取り付けてあり、照明器具（２４）とシロッコファンモーター（２５）の電源スイッチ（２７）はレンジフード（１）右又は左食器棚ドアー（２８）又はＩＨクッキングヒーター台（３２）もしくはガスレンジ台に設けてあるので、昇降機（３）でフードシロッコファンケーシング（１６）のみが下に降りる。
【００３２】
昇降機（３）に設けてある穴（８）にフック（７）を引っかけてIHクッキングヒーター台（３２）上迄降りたフードシロッコファンケーシング（１６）よりフードシロッコファンケーシング（１６）上前カバー（２３）を外し、昇降機（３）下部のフォーク（９）に取り付けてあるフードシロッコファンケーシング（１６）位置確定フック（２０）を開除して、フードシロッコファンケーシング（１６）を手前に引く事でフォーク取り付板（１０）に取り付けたフォーク（９）を、フードシロッコファンケーシング（１６）背面のフォーク刺し込み口（１５）に続いて取り付けてあるＣ形レール（１９）より引きぬく事が出来る。
【００３３】
取り外されたフードシロッコファンケーシング（１６）、上前カバー（２３）、整流板（７）、オイルグリッド（１８）、ナット（３０）とシロッコファン（２９）を洗浄して取り外した逆の手順で取り付けて使用可能状態にする。
【産業上の利用可能性】
【００３４】
フードシロッコファンケーシング（１６）に取り付ける部品とフードシロッコファンケーシング（１６）を複合炭素繊維で成形し使用する事で、形状は単純で軽量にもなり昇降機（３）での上り下りも楽であり取り外して洗浄時の取り扱いも楽に出来て使用可能性は高いと思われる。
【符号の説明】
【００３５】
１  レンジフード
２  右左側面
３  昇降機
４  上支板
５  下支板
６  ジョイント板
７  フック
８  穴
９  フォーク
１０  フォーク取り付板
１１  フード
１２  シロッコファンケーシング
１３  突起
１４  柱
１５  フォーク刺し込み口
１６  フードシロッコファンケーシング
１７  整流板
１８  オイルグリッド
１９  Ｃ形レール
２０  確定フック
２１  マグネット
２２  鉄板
２３  カバー
２４  照明器具
２５  シロッコファンモーター
２６  安全スイッチ
２７  スイッチ
２８  食器棚ドアー
２９  シロッコファン
３０  ナット
３１  吸気口面
３２  ＩＨクッキングヒーター台
３３  取って
３４  安全留具
【図１】
0005497859.tif 000002
【図２】
0005497859.tif 000003
【図３】
0005497859.tif 000004
【図４】
0005497859.tif 000005
【図５】
0005497859.tif 000006
【図６】
0005497859.tif 000007
【図７】
0005497859.tif 000008